(57)【要約】  コネクテッド状態の無線端末は、無線基地局によって設定された測定構成に従って無線環境の測定を行い、所定時間に対応するタイマを起動する。当該無線端末は、タイマの満了前に測定の結果を報告可能になった場合には、測定の結果を無線基地局に報告し、タイマの満了前に測定の結果を報告可能にならない場合には、測定の結果をタイムスタンプと共に記録する。
2012039439.tif 000002
【特許請求の範囲】
【請求項１】
コネクテッド状態の無線端末が、無線基地局によって設定された測定構成に従って即座報告型の測定処理を行うステップと、
前記無線端末が、所定時間に対応するタイマを起動するステップと、
前記無線端末が、前記タイマの満了前に前記測定の結果を報告可能になった場合に、前記測定の結果を前記無線基地局に報告するステップと、
前記無線端末が、前記タイマの満了前に前記測定の結果を報告可能にならない場合に、前記タイマが満了した際に前記測定の結果をタイムスタンプと共に記録するステップと
を備える無線測定収集方法。
【請求項２】
前記起動するステップでは、前記測定を行った際に前記タイマを起動する請求項１に記載の無線測定収集方法。
【請求項３】
前記タイムスタンプは、前記測定を行った際の時刻を示す請求項１に記載の無線測定収集方法。
【請求項４】
前記報告するステップでは、前記測定の結果を、前記測定に対応する位置情報と共に報告する請求項１に記載の無線測定収集方法。
【請求項５】
前記記録するステップでは、前記測定の結果を、前記タイムスタンプと前記測定に対応する位置情報と共に記録する請求項１に記載の無線測定収集方法。
【請求項６】
前記無線端末が、前記タイマが満了した以降に、前記即座報告型の測定処理から記録型の測定処理に切り替えるステップをさらに備える請求項１に記載の無線測定収集方法。
【請求項７】
前記無線端末が、前記記録するステップで記録された前記測定の結果及び前記タイムスタンプを報告可能になった場合に、前記記録するステップで記録された前記測定の結果と、時間情報と、前記タイムスタンプとを報告するステップをさらに備える請求項１に記載の無線測定収集方法。
【請求項８】
前記時間情報は、測定時刻と報告時刻との間の相対時間を示す情報と、報告時刻に対応する、前記無線端末内部で管理された絶対時間を示す情報とを含む請求項７に記載の無線測定収集方法。
【請求項９】
前記測定の結果及び前記時間情報を受信した無線基地局が、前記時間情報に基づいて、前記測定時刻を算出するステップをさらに備え、
前記測定時刻を算出するステップでは、
前記無線端末内部で管理された絶対時間を示す情報に換えて、ネットワーク側で管理された絶対時間を示す情報を用いて、当該ネットワーク側で管理された絶対時間を示す情報と前記相対時間を示す情報とから前記測定時刻を算出する請求項８に記載の無線測定収集方法。
【請求項１０】
コネクテッド状態の無線端末が、無線基地局によって設定された測定構成に従って即座報告型の測定処理を行うステップと、
前記無線端末が、所定時間に対応するタイマを起動するステップと、
前記無線端末が、前記タイマの満了前に前記測定の結果を報告可能になった場合に、前記測定の結果を前記無線基地局に報告するステップと、
前記無線端末が、前記タイマの満了前に前記測定の結果を報告可能にならない場合に、前記タイマが満了した際に前記測定の結果を削除するステップと
を備える無線測定収集方法。
【請求項１１】
記憶部と、
無線基地局との無線通信を行うように構成された無線通信部と、
前記記憶部及び前記無線通信部を制御するように構成された制御部とを備え、
前記制御部は、
コネクテッド状態において、前記無線基地局によって設定された測定構成に従って即座報告型の測定処理を行い、
所定時間に対応するタイマを起動し、
前記タイマの満了前に前記測定の結果を報告可能になった場合に、前記測定の結果を前記無線基地局に報告し、
前記タイマの満了前に前記測定の結果を報告可能にならない場合に、前記タイマが満了した際に前記測定の結果をタイムスタンプと共に記録するように構成される無線端末。
【請求項１２】
記憶部と、
無線基地局との無線通信を行うように構成された無線通信部と、
前記記憶部及び前記無線通信部を制御するように構成された制御部とを備え、
前記制御部は、
コネクテッド状態において、前記無線基地局によって設定された測定構成に従って即座報告型の測定処理を行い、
所定時間に対応するタイマを起動し、
前記タイマの満了前に前記測定の結果を報告可能になった場合に、前記測定の結果を前記無線基地局に報告し、
前記タイマの満了前に前記測定の結果を報告可能にならない場合に、前記タイマが満了した際に前記測定の結果を削除するように構成される無線端末。
【請求項１３】
コネクテッド状態の無線端末が、ＭＤＴをサポートする第１の無線基地局と即座報告型の測定処理を行うステップと、
前記無線端末が、ＭＤＴをサポートしていない第２の無線基地局へのハンドオーバのトリガに応じて、前記即座報告型の測定処理から記録型の測定処理に切り替えるステップと、
前記無線端末が、前記記録型の測定処理に切り替えた後、前記記録型の測定処理を行うステップと
を備える無線測定収集方法。
【請求項１４】
前記即座報告型の測定処理を行うステップは、
前記第１の無線基地局によって設定された測定構成に従って無線環境の測定を行うステップと、
測定結果及び位置情報を前記第１の無線基地局に報告するステップと
を備え、
前記記録型の測定処理を行うステップは、
前記第１の無線基地局によって設定された測定構成、又は予め前記無線端末に設定された測定構成に従って、無線環境の測定を行うステップと、
測定結果及び位置情報を記録するステップと
を備える請求項１３に記載の無線測定収集方法。
【請求項１５】
前記無線端末が、前記記録型の測定処理を開始した後、前記第２の無線基地局から、ＭＤＴをサポートする第３の無線基地局へのハンドオーバを行うステップと、
前記記録するステップで記録された前記測定結果及び位置情報と、時間情報とを前記第３の無線基地局に報告するステップとをさらに備え、
前記第３の無線基地局は、前記第１の無線基地局、又は前記第１の無線基地局とは異なる無線基地局である請求項１４に記載の無線測定収集方法。
【請求項１６】
前記第３の無線基地局に報告される前記時間情報は、測定時刻と報告時刻との間の相対時間を示す情報と、報告時刻に対応する、前記無線端末内部で管理された絶対時間を示す情報とを含む請求項１５に記載の無線測定収集方法。
【請求項１７】
前記第３の無線基地局が、前記報告するステップで報告された前記時間情報に基づいて、前記測定時刻を算出するステップをさらに備え、
前記測定時刻を算出するステップでは、
前記無線端末内部で管理された絶対時間を示す情報に換えて、ネットワーク側で管理された絶対時間を示す情報を用いて、当該ネットワーク側で管理された絶対時間を示す情報と前記相対時間を示す情報から前記測定時刻を算出する請求項１６に記載の無線測定収集方法。
【請求項１８】
前記無線端末が、前記第２の無線基地局がＭＤＴをサポートするか否かを判定するステップをさらに備え、
前記切り替えるステップでは、前記第２の無線基地局がＭＤＴをサポートしないと判定された場合に、前記即座報告型の測定処理から前記記録型の測定処理に切り替える請求項１３に記載の無線測定収集方法。
【請求項１９】
前記ハンドオーバのトリガは、前記無線端末が前記第１の無線基地局からハンドオーバを指示されたことである請求項１３に記載の無線測定収集方法。
【請求項２０】
前記無線端末が、前記第２の無線基地局がＭＤＴをサポートしているか否かを示す情報を前記第１の無線基地局から受信するステップをさらに備え、
前記判定するステップでは、前記受信するステップで受信した情報に基づいて、前記第２の無線基地局がＭＤＴをサポートしているか否かを判定する請求項１８に記載の無線測定収集方法。
【請求項２１】
前記無線端末が、前記第２の無線基地局が報知する情報を受信するステップをさらに備え、
前記第２の無線基地局が報知する情報は、前記第２の無線基地局が前記即座報告型の測定処理をサポートしているか否かを示す情報を含み、
前記判定するステップでは、前記受信するステップで受信した情報に基づいて、前記第２の無線基地局がＭＤＴをサポートしているか否かを判定する請求項１８に記載の無線測定収集方法。
【請求項２２】
コネクテッド状態において、ＭＤＴをサポートする第１の無線基地局と即座報告型の測定処理を行うように構成された第１の測定処理部と、
コネクテッド状態において、記録型の測定処理を行うように構成された第２の測定処理部と、
ＭＤＴをサポートしていない第２の無線基地局へのハンドオーバのトリガに応じて、前記即座報告型の測定処理から前記記録型の測定処理に切り替えるように構成された測定制御部と
を備える無線端末。
【発明の詳細な説明】
【技術分野】
【０００１】
本発明は、無線環境の測定及び収集を行う無線測定収集方法及び無線端末に関する。
【背景技術】
【０００２】
移動通信システムでは、無線基地局の周辺にビルが建設されたり、当該無線基地局の周辺基地局の設置状況が変化したりすると、当該無線基地局に係る無線環境が変化する。このため、従来では、オペレータにより、測定機材を搭載した測定用車両を使用して、無線環境を測定及び収集するドライブテストが行われている。【０００３】
このような無線環境の測定及び収集は、例えば無線基地局のカバレッジの最適化に貢献できるが、工数が多く、且つ費用が高いという課題がある。そこで、移動通信システムの標準化プロジェクトである３ＧＰＰ（3rd Generation Partnership Project）では、ユーザが所持する無線端末を使用して、無線環境の測定及び収集を自動化する技術であるＭＤＴ（Minimization of Drive Test）の仕様策定が進められている（非特許文献１、及び非特許文献２参照）。【０００４】
ＭＤＴには、即座報告型（Immediate）と記録型（Logged）とがある。即座報告型のＭＤＴ（以下、適宜Immediate MDTと称する）は、コネクテッド状態の無線端末が、測定を行い、測定の結果（以下、適宜「測定結果」と称する）を位置情報と共にネットワークに報告するものである。ここでコネクテッド状態は、無線端末が通信実行中の状態である。記録型のＭＤＴ（以下、適宜Logged MDTと称する）は、無線端末が、設定された条件を満たすときに測定を行い、測定結果を位置情報及び時間情報と共にＭＤＴデータとして記録し、後でネットワークに報告するために保持するものである。
【先行技術文献】
【非特許文献】
【０００５】
【非特許文献１】3GPP TR 36.805 V9.0.0 “Study on Minimization of drive-tests in Next Generation Networks”, 2009-12
【非特許文献２】3GPP TS 37.320 v0.7.0, “Radio measurement collection for Minimization of Drive Tests (MDT)”, 2010-07
【発明の概要】
【０００６】
ところで、Immediate MDTにおいて、無線端末は、測定結果を必ずしもネットワークに報告できるとは限らない。例えば、サービング無線基地局に輻輳が生じていたり、無線環境が劣化していたりすると、無線端末は、測定結果をネットワークに報告できない。測定結果をネットワークに報告できないケースにおいて、無線端末が直ちに測定結果を削除してしまうと、無線端末のリソースの無駄遣いになるだけでなく、最適化に必要な測定結果を十分に収集できなくなる可能性がある。
【０００７】
また、３ＧＰＰリリース１０（以下、Rel-10） UMTS/LTEに準拠する無線基地局はＭＤＴをサポートし得るが、例えば、GSMやCDMA2000等の他のＲＡＴ（Radio Access Technology）、Rel-10以前のUMTS/LTEに準拠する無線基地局はＭＤＴをサポートしない。即座報告型の測定処理を行っている無線端末が、ＭＤＴをサポートしない無線基地局へのハンドオーバを行う場合には、即座報告型の測定処理が中止される。このようなケースでは、ハンドオーバ中やハンドオーバ後における測定結果及び位置情報を収集できないため、最適化に必要な測定結果及び位置情報を十分に収集できない問題がある。
【０００８】
そこで、本発明は、即座報告型のＭＤＴにおいて測定結果を報告できないケースに適切に対処できる無線測定収集方法及び無線端末を提供する。
【０００９】
また、本発明は、最適化に必要な測定結果及び位置情報を十分に収集できるようにする無線測定収集方法及び無線端末を提供する。
【００１０】
本発明に係る無線測定収集方法の特徴は、コネクテッド状態の無線端末が、無線基地局によって設定された測定構成に従って即座報告型の測定処理を行うステップと、前記無線端末が、所定時間に対応するタイマを起動するステップと、前記無線端末が、前記タイマの満了前に前記測定の結果を報告可能になった場合に、前記測定の結果を前記無線基地局に報告するステップと、前記無線端末が、前記タイマの満了前に前記測定の結果を報告可能にならない場合に、前記タイマが満了した際に前記測定の結果をタイムスタンプと共に記録するステップとを備えることを要旨とする。
【００１１】
このような特徴によれば、無線端末は、タイマが満了するまでは測定結果の報告を試みることができる。また、タイマが満了するまでに測定結果を報告できない場合には当該測定結果を記録するため、当該測定結果を後でネットワークに報告することができる。従って、上記特徴によれば、即座報告型のＭＤＴにおいて測定結果を報告できないケースに適切に対処できる。
【００１２】
本発明に係る無線測定収集方法の他の特徴は、上記特徴に係る無線測定収集方法において、前記起動するステップでは、前記測定を行った際に前記タイマを起動することを要旨とする。
【００１３】
本発明に係る無線測定収集方法の他の特徴は、上記特徴に係る無線測定収集方法において、前記タイムスタンプは、前記測定を行った際の時刻を示すことを要旨とする。
【００１４】
本発明に係る無線測定収集方法の他の特徴は、上記特徴に係る無線測定収集方法において、前記報告するステップでは、前記測定の結果を、前記測定に対応する位置情報と共に報告することを要旨とする。
【００１５】
本発明に係る無線測定収集方法の他の特徴は、上記特徴に係る無線測定収集方法において、前記記録するステップでは、前記測定の結果を、前記タイムスタンプと前記測定に対応する位置情報と共に記録することを要旨とする。
【００１６】
本発明に係る無線測定収集方法の他の特徴は、上記特徴に係る無線測定収集方法において、前記無線端末が、前記タイマが満了した以降に、前記即座報告型の測定処理から記録型の測定処理に切り替えるステップをさらに備えることを要旨とする。
【００１７】
本発明に係る無線測定収集方法の他の特徴は、上記特徴に係る無線測定収集方法において、前記無線端末が、前記記録するステップで記録された前記測定の結果及び前記タイムスタンプを報告可能になった場合に、前記記録するステップで記録された前記測定の結果と、時間情報と、前記タイムスタンプとを報告するステップをさらに備えることを要旨とする。
【００１８】
本発明に係る無線測定収集方法の他の特徴は、上記特徴に係る無線測定収集方法において、前記時間情報は、測定時刻と報告時刻との間の相対時間を示す情報と、報告時刻に対応する、前記無線端末内部で管理された絶対時間を示す情報とを含むことを要旨とする。
【００１９】
本発明に係る無線測定収集方法の他の特徴は、上記特徴に係る無線測定収集方法において、前記測定の結果及び前記時間情報を受信した無線基地局が、前記時間情報に基づいて、前記測定時刻を算出するステップをさらに備え、前記測定時刻を算出するステップでは、前記無線端末内部で管理された絶対時間を示す情報に換えて、ネットワーク側で管理された絶対時間を示す情報を用いて、当該ネットワーク側で管理された絶対時間を示す情報と前記相対時間を示す情報とから前記測定時刻を算出することを要旨とする。
【００２０】
本発明に係る無線測定収集方法の特徴は、コネクテッド状態の無線端末が、無線基地局によって設定された測定構成に従って即座報告型の測定処理を行うステップと、前記無線端末が、所定時間に対応するタイマを起動するステップと、前記無線端末が、前記タイマの満了前に前記測定の結果を報告可能になった場合に、前記測定の結果を前記無線基地局に報告するステップと、前記無線端末が、前記タイマの満了前に前記測定の結果を報告可能にならない場合に、前記タイマが満了した際に前記測定の結果を削除するステップとを備えることを要旨とする。
【００２１】
このような特徴によれば、無線端末は、タイマが満了するまでは測定結果の報告を試みることができる。また、タイマが満了するまでに測定結果を報告できない場合には当該測定結果を削除するため、無線端末の負荷を軽減できる。従って、上記特徴によれば、即座報告型のＭＤＴにおいて測定結果を報告できないケースに適切に対処できる。
【００２２】
本発明に係る無線端末の特徴は、記憶部と、無線基地局との無線通信を行うように構成された無線通信部と、前記記憶部及び前記無線通信部を制御するように構成された制御部とを備え、前記制御部は、コネクテッド状態において、前記無線基地局によって設定された測定構成に従って即座報告型の測定処理を行い、所定時間に対応するタイマを起動し、前記タイマの満了前に前記測定の結果を報告可能になった場合に、前記測定の結果を前記無線基地局に報告し、前記タイマの満了前に前記測定の結果を報告可能にならない場合に、前記タイマが満了した際に前記測定の結果をタイムスタンプと共に記録するように構成されることを要旨とする。
【００２３】
本発明に係る無線端末の特徴は、記憶部と、無線基地局との無線通信を行うように構成された無線通信部と、前記記憶部及び前記無線通信部を制御するように構成された制御部とを備え、前記制御部は、コネクテッド状態において、前記無線基地局によって設定された測定構成に従って即座報告型の測定処理を行い、所定時間に対応するタイマを起動し、前記タイマの満了前に前記測定の結果を報告可能になった場合に、前記測定の結果を前記無線基地局に報告し、前記タイマの満了前に前記測定の結果を報告可能にならない場合に、前記タイマが満了した際に前記測定の結果を削除するように構成されることを要旨とする。
【００２４】
本発明に係る無線測定収集方法の特徴は、コネクテッド状態の無線端末が、ＭＤＴをサポートする第１の無線基地局と即座報告型の測定処理を行うステップと、前記無線端末が、ＭＤＴをサポートしていない第２の無線基地局へのハンドオーバのトリガに応じて、前記即座報告型の測定処理から記録型の測定処理に切り替えるステップと、前記無線端末が、前記記録型の測定処理に切り替えた後、前記記録型の測定処理を行うステップとを備えることを要旨とする。なお、第１の無線基地局とは、ＭＤＴをサポートするＲＡＴに属する、ＭＤＴをサポートする無線基地局である。第２の無線基地局とは、ＭＤＴをサポートしていないＲＡＴに属する無線基地局、及びＭＤＴをサポートするＲＡＴに属するＭＤＴをサポートしていない無線基地局である。
【００２５】
このような特徴によれば、無線端末は、ＭＤＴをサポートしていない無線基地局へのハンドオーバのトリガに応じて、即座報告型の測定処理から記録型の測定処理に切り替える。これにより、ＭＤＴをサポートしていない無線基地局へのハンドオーバ時にも測定処理を継続できるため、ハンドオーバ中やハンドオーバ後における測定処理も収集可能になり、最適化に必要な測定結果を十分に収集できるようになる。
【００２６】
本発明に係る無線測定収集方法の他の特徴は、上記特徴に係る無線測定収集方法において、前記即座報告型の測定処理を行うステップは、前記第１の無線基地局によって設定された測定構成に従って無線環境の測定を行うステップと、測定結果及び位置情報を前記第１の無線基地局に報告するステップとを備え、前記記録型の測定処理を行うステップは、前記第１の無線基地局によって設定された測定構成、又は予め前記無線端末に設定された測定構成に従って、無線環境の測定を行うステップと、測定結果及び位置情報を記録するステップとを備えることを要旨とする。なお、第１の無線基地局によって設定された測定構成とは、即座報告型の測定処理に対応する測定構成であってもよく、第１の無線基地局がネットワークの絶対時間とともに改めて設定した測定構成であってもよい。
【００２７】
本発明に係る無線測定収集方法の他の特徴は、上記特徴に係る無線測定収集方法において、前記無線端末が、前記記録型の測定処理を開始した後、前記第２の無線基地局から、ＭＤＴをサポートする第３の無線基地局へのハンドオーバを行うステップと、前記記録するステップで記録された前記測定結果及び位置情報と、時間情報とを前記第３の無線基地局に報告するステップとをさらに備え、前記第３の無線基地局は、前記第１の無線基地局、又は前記第１の無線基地局とは異なる無線基地局であることを要旨とする。
【００２８】
本発明に係る無線測定収集方法の他の特徴は、上記特徴に係る無線測定収集方法において、前記第３の無線基地局に報告される前記時間情報は、測定時刻と報告時刻との間の相対時間を示す情報と、報告時刻に対応する、前記無線端末内部で管理している絶対時間を示す情報とを含むことを要旨とする。
【００２９】
本発明に係る無線測定収集方法の他の特徴は、上記特徴に係る無線測定収集方法において、前記無線端末が、前記第２の無線基地局がＭＤＴをサポートしているか否かを判定するステップをさらに備え、前記切り替えるステップでは、前記第２の無線基地局がＭＤＴをサポートしないと判定された場合に、前記即座報告型の測定処理から前記記録型の測定処理に切り替えることを要旨とする。
【００３０】
本発明に係る無線測定収集方法の他の特徴は、上記特徴に係る無線測定収集方法において、前記ハンドオーバのトリガは、前記無線端末が前記第１の無線基地局からハンドオーバを指示されたことであることを要旨とする。
【００３１】
本発明に係る無線測定収集方法の他の特徴は、上記特徴に係る無線測定収集方法において、前記無線端末が、前記第２の無線基地局がＭＤＴをサポートしているか否かを示す情報を前記第１の無線基地局から受信するステップをさらに備え、前記判定するステップでは、前記受信するステップで受信した情報に基づいて、前記第２の無線基地局がＭＤＴをサポートしているか否かを判定することを要旨とする。
【００３２】
本発明に係る無線測定収集方法の他の特徴は、上記特徴に係る無線測定収集方法において、前記無線端末が、前記第２の無線基地局が報知する情報を受信するステップをさらに備え、前記第２の無線基地局が報知する情報は、前記第２の無線基地局がＭＤＴをサポートしているか否かを示す情報を含み、前記判定するステップでは、前記受信するステップで受信した情報に基づいて、前記第２の無線基地局がＭＤＴをサポートしているか否かを判定することを要旨とする。
【００３３】
本発明に係る無線端末の特徴は、コネクテッド状態において、ＭＤＴをサポートする第１の無線基地局と即座報告型の測定処理を行うように構成された第１の測定処理部と、コネクテッド状態において、記録型の測定処理を行うように構成された第２の測定処理部と、ＭＤＴをサポートしていない第２の無線基地局へのハンドオーバのトリガに応じて、前記即座報告型の測定処理から前記記録型の測定処理に切り替えるように構成された測定制御部とを備えることを要旨とする。
【図面の簡単な説明】
【００３４】
【図１】図１は、本発明の第１実施形態〜第３実施形態に係る移動通信システムの全体概略構成を示す図である。
【図２】図２は、本発明の第１実施形態〜第３実施形態に係る無線基地局の構成を示すブロック図である。
【図３】図３は、本発明の第１実施形態〜第３実施形態に係る無線端末の構成を示すブロック図である。
【図４】図４は、Immediate MDTからLogged MDT in connectedへの切り替える場合における無線端末ＵＥの動作を説明するためのタイムチャートである。
【図５】図５は、本発明の第１実施形態に係る無線測定収集方法を示すシーケンス図である。
【図６】図６は、本発明の第２実施形態に係る無線測定収集方法を示すシーケンス図である。
【図７】図７は、本発明の第３実施形態に係る無線測定収集方法を示すシーケンス図である。
【図８】図８は、本発明の第４実施形態に係る移動通信システムの全体概略構成を示す図である。
【図９】図９は、無線端末が、ＭＤＴをサポートする無線基地局とImmediate MDTを実行中に、ＭＤＴをサポートしない無線基地局へのハンドオーバを行うケースについて説明するための図である。
【図１０】図１０は、本発明の第４実施形態に係る無線基地局の構成を示すブロック図である。
【図１１】図１１は、本発明の第４実施形態に係る無線端末の構成を示すブロック図である。
【図１２】図１２は、本発明の第４実施形態に係る、Immediate MDTからLogged MDT in connectedへの切り替え時及び切り替え後の無線端末の動作を説明するためのタイムチャートである。
【図１３】図１３は、本発明の第４実施形態に係る無線測定収集方法を示すシーケンス図である。
【図１４】図１４は、本発明の第４実施形態の変更例に係る無線測定収集方法を示すシーケンス図である。
【発明を実施するための形態】
【００３５】
図面を参照して、本発明の第１実施形態〜第４実施形態、及びその他の実施形態を説明する。以下の各実施形態における図面において、同一又は類似の部分には同一又は類似の符号を付す。
【００３６】
以下においては、３ＧＰＰで仕様が策定されているＬＴＥ（Long Term Evolution）に基づいて構成される移動通信システムを主として説明する。ただし、ＬＴＥに限らず、Ｗ−ＣＤＭＡ（Wideband Code Division Multiple Access）に基づいて構成される移動通信システム等についても本発明を適用できることに留意されたい。
【００３７】
（１）第１実施形態
以下、第１実施形態について、（１．１）移動通信システムの概要、（１．２）無線基地局の構成、（１．３）無線端末の構成、（１．４）無線測定収集方法、（１．５）第１実施形態の効果の順に説明する。
【００３８】
（１．１）移動通信システムの概要
図１は、第１実施形態に係る移動通信システム１の全体概略構成を示す図である。
【００３９】
図１に示すように、移動通信システム１は、無線端末ＵＥ（User Equipment）、複数の無線基地局ｅＮＢ（evolved Node-B）、保守監視装置ＯＡＭ（Operation and Maintenance）、及び複数の移動管理装置ＭＭＥ（Mobility Management Entity）／ゲートウェイ装置Ｓ−ＧＷ（Serving Gateway）を有する。
【００４０】
複数の無線基地局ｅＮＢは、Ｅ−ＵＴＲＡＮ（Evolved-UMTS Terrestrial Radio Access  Network）を構成する。各無線基地局ｅＮＢは、無線端末ＵＥにサービスを提供すべき通信エリアであるセルを形成する。無線端末ＵＥは、ユーザが所持する無線通信装置であり、ユーザ装置とも称される。
【００４１】
隣接する各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ（Mobility Management Entity）／Ｓ−ＧＷ（Serving Gateway）と通信可能である。また、各無線基地局ｅＮＢは、オペレータによって運営される保守監視装置ＯＡＭと通信可能である。
【００４２】
（１．２）無線基地局の構成
図２は、無線基地局ｅＮＢの構成を示すブロック図である。
【００４３】
図２に示すように、無線基地局ｅＮＢは、アンテナ１１０１、無線通信部１１１０、ネットワーク通信部１１２０、記憶部１１３０、及び制御部１１４０を有する。
【００４４】
アンテナ１１０１は、無線信号の送受信に用いられる。無線通信部１１１０は、例えば無線周波数（ＲＦ）回路やベースバンド（ＢＢ）回路等を用いて構成され、アンテナ１１０１を介して無線信号を送受信する。また、無線通信部１１１０は、送信信号の変調と受信信号の復調とを行う。ネットワーク通信部１１２０は、他のネットワーク装置（保守監視装置ＯＡＭや他の無線基地局ｅＮＢ等）との通信を行う。記憶部１１３０は、例えばメモリを用いて構成され、無線基地局ｅＮＢの制御等に用いられる各種の情報を記憶する。制御部１１４０は、例えばＣＰＵを用いて構成され、無線基地局ｅＮＢが備える各種の機能を制御する。
【００４５】
制御部１１４０は、測定設定部１１４１及び収集処理部１１４２を有する。
【００４６】
測定設定部１１４１は、コネクテッド状態の無線端末ＵＥに測定構成を設定する。具体的には、測定設定部１１４１は、測定構成を含むMEASUREMENT CONFIGURATIONメッセージを生成する。測定構成は、測定すべき無線環境の種別を示すパラメータと、報告トリガの種別を示すパラメータとを含む。測定すべき無線環境の種別は、例えば、参照信号受信電力（ＲＳＲＰ）及び参照信号受信品質（ＲＳＲＱ）、又は、パワーヘッドルーム（ＰＨ）である。報告トリガの種別は、例えば、定期的、サービングセルのＲＳＲＰ及び／又はＲＳＲＱが閾値よりも低下したこと、又は、無線リンク障害である。そして、測定設定部１１４１は、当該MEASUREMENT CONFIGURATIONメッセージを無線端末ＵＥに送信するよう無線通信部１１１０を制御する。
【００４７】
収集処理部１１４２は、測定結果を収集する処理を行う。
【００４８】
Immediate MDTにおいて、収集処理部１１４２は、無線端末ＵＥから受信したMEASUREMENT REPORTメッセージに含まれる、位置情報が付された測定結果を取得し、当該測定結果及び位置情報にタイムスタンプを付加する。そして、収集処理部１１４２は、測定結果、位置情報、タイムスタンプの組を保守監視装置ＯＡＭに送信するようネットワーク通信部１１２０を制御する。なお、収集処理部１１４２は、これらの情報を保守監視装置ＯＡＭに送信するケースに限らず、当該情報の内容を解釈し、自局のパラメータの最適化に使用してもよい。また、Immediate MDTにおいて、収集処理部１１４２は、上りリンクの信号強度又は信号対干渉雑音比（ＳＩＮＲ）を測定してもよい。
【００４９】
Logged MDTにおいて、収集処理部１１４２は、ＭＤＴデータを保持していることを示すログ保持情報を含むRRCConnectionSetupCompleteメッセージを無線端末ＵＥから受信した場合であって、当該ＭＤＴデータを収集すると決定した場合に、UEInformationRequestメッセージを生成し、生成したUEInformationRequestメッセージを無線端末ＵＥに送信するよう無線通信部１１１０を制御する。
【００５０】
収集処理部１１４２は、UEInformationRequestメッセージに応じて無線端末ＵＥから送信（報告）されたUEInformationResponseメッセージを無線通信部１１１０が受信すると、受信したUEInformationResponseメッセージに含まれるＭＤＴデータを取得する。そして、収集処理部１１４２は、当該ＭＤＴデータを保守監視装置ＯＡＭに送信するようネットワーク通信部１１２０を制御する。なお、収集処理部１１４２は、ＭＤＴデータを保守監視装置ＯＡＭに送信するケースに限らず、当該ＭＤＴデータの内容を解釈し、自局のパラメータの最適化に使用してもよい。
【００５１】
（１．３）無線端末の構成
図３は、無線端末ＵＥの構成を示すブロック図である。
【００５２】
図３に示すように、無線端末ＵＥは、アンテナ１２０１、無線通信部１２１０、ユーザインターフェイス部１２２０、ＧＰＳ受信機１２３０、バッテリ１２４０、記憶部１２５０、及び制御部１２６０を有する。ただし、無線端末ＵＥは、ＧＰＳ受信機１２３０を有していなくてもよい。
【００５３】
アンテナ１２０１は、無線信号の送受信に用いられる。無線通信部１２１０は、例えば無線周波数（ＲＦ）回路やベースバンド（ＢＢ）回路等を用いて構成され、アンテナ１２０１を介して無線信号を送受信する。また、無線通信部１２１０は、送信信号の変調と受信信号の復調とを行う。ユーザインターフェイス部１２２０は、ユーザとのインターフェイスとして機能するディスプレイやボタン等である。バッテリ１２４０は、無線端末ＵＥの各ブロックに供給される電力を蓄える。記憶部１２５０は、例えばメモリを用いて構成され、無線端末ＵＥの制御等に用いられる各種の情報を記憶する。制御部１２６０は、例えばＣＰＵを用いて構成され、無線端末ＵＥが備える各種の機能を制御する。
【００５４】
制御部１２６０は、Immediate MDT処理部１２６１、Logged MDT処理部１２６２、タイマ管理部１２６３、及びＭＤＴ制御部１２６４を有する。
【００５５】
Immediate MDT処理部１２６１は、コネクテッド状態において無線基地局ｅＮＢとImmediate MDTを行う。具体的には、Immediate MDT処理部１２６１は、コネクテッド状態において、測定構成を含むMEASUREMENT CONFIGURATIONメッセージを無線通信部１２１０が受信すると、受信したMEASUREMENT CONFIGURATIONメッセージに含まれる測定構成を設定（すなわち、記憶部１２５０に記憶）する。測定構成は、測定すべき無線環境の種別を示すパラメータと、報告トリガの種別を示すパラメータとを含む。
【００５６】
また、Immediate MDT処理部１２６１は、測定すべき無線環境の種別を示すパラメータに従って、無線環境の測定を行うとともに、測定を行った際の位置を示す位置情報を生成する。位置情報は、サービングセルのＥＣＧＩ（E-UTRAN Cell Global Identifier）を含む。また、無線端末ＵＥが測位機能を有している場合、位置情報は、ＧＮＳＳ（Global Navigation Satellite System）位置情報をさらに含む。一方、無線端末ＵＥが測位機能を有していない場合、位置情報は、隣接セルからの受信状態に関するＲＦ（Radio frequency）フィンガープリントをさらに含む。
【００５７】
タイマ管理部１２６３は、予め定められた一定時間を計時するためのタイマを管理する。具体的には、タイマ管理部１２６３は、Immediate MDT処理部１２６１が測定を行った際にタイマを起動する。また、タイマ管理部１２６３は、タイマを起動した後、タイマが満了したか否かを監視する。
【００５８】
Immediate MDT処理部１２６１は、MEASUREMENT REPORTメッセージを無線基地局ｅＮＢに送信可能である場合に、報告トリガの種別を示すパラメータに従って、位置情報が付された測定結果を含むMEASUREMENT REPORTメッセージを無線基地局ｅＮＢに送信するよう無線通信部１２１０を制御する。なお、MEASUREMENT REPORTメッセージを無線基地局ｅＮＢに送信可能である場合とは、無線基地局ｅＮＢから上りリンクの無線リソースが割り当てられた場合であって、上りリンクの無線品質が所定レベル以上である場合を意味する。また、MEASUREMENT REPORTメッセージを無線基地局ｅＮＢに送信不能である場合とは、無線基地局ｅＮＢから上りリンクの無線リソースが割り当てられない場合、又は、上りリンクの無線品質が所定レベル未満である場合を意味する。Immediate MDT処理部１２６１は、タイマが満了するまで定期的にMEASUREMENT REPORTメッセージの送信を試みる。
【００５９】
Logged MDT処理部１２６２は、MEASUREMENT REPORTメッセージを無線基地局ｅＮＢに送信できないままタイマが満了すると、測定を行った際の時刻を示すタイムスタンプを取得する。具体的には、無線端末ＵＥは、現時刻から、タイマと対応する一定時間を引いた時刻（すなわち、測定を行った際の時刻）を測定時の時刻として、当該時刻を示すタイムスタンプを取得する。そして、無線端末ＵＥは、測定結果、位置情報、及びタイムスタンプの組をＭＤＴデータとして記録する。
【００６０】
Logged MDT処理部１２６２は、コネクテッド状態においてLogged MDT（以下、適宜Logged MDT in connectedと称する）を行う。Logged MDT処理部１２６２は、無線基地局ｅＮＢによって設定された測定構成、又は予め無線端末ＵＥに設定されている測定構成に従って測定を行い、測定結果及び位置情報を記録する。例えば、Logged MDT処理部１２６２は、MEASUREMENT CONFIGURATIONメッセージに含まれる、測定すべき無線環境の種別を示すパラメータに従って、ＲＳＲＰ及びＲＳＲＱ、又は、ＰＨの測定を行う。また、Logged MDT処理部１２６２は、測定を行った際の位置を示す位置情報と、測定を行った際の時刻に関するタイムスタンプとを生成する。そして、無線端末ＵＥは、測定結果、位置情報、及びタイムスタンプの組をＭＤＴデータとして記録（記憶部１２５０に記憶）する。
【００６１】
なお、Logged MDT in connected で収集したログ（ＭＤＴデータ）のレポート方法手順には、現在3GPPで規定されているImmediate MDTと同様に、無線端末ＵＥがMDTをサポートしている基地局に移った際、通常のRRM measurement reportと同じように送信する手法と、Logged MDT in idleと同様に、RRCconnectionsetupcomplete messageに1bitのログ保持情報を含めて、ネットワークの判断でログを吸い上げる方法の、両方などが考えられる。
【００６２】
ＭＤＴ制御部１２６４は、Immediate MDT処理部１２６１及びLogged MDT処理部１２６２を制御する。具体的には、ＭＤＴ制御部１２６４は、MEASUREMENT REPORTメッセージを無線基地局ｅＮＢに送信できないままタイマが満了したケースにおいて、タイマが満了した際、又は、タイマが満了した後に、Immediate MDTからLogged MDT in connectedに切り替える。
【００６３】
図４は、Immediate MDTからLogged MDT in connectedへの切り替える場合における無線端末ＵＥの動作を説明するためのタイムチャートである。
【００６４】
図４に示すように、時刻ｔ０において、Immediate MDT処理部１２６１は、無線環境の測定を行うとともに、測定を行った際の位置を示す位置情報を生成する。また、タイマ管理部１２６３は、タイマを起動する。
【００６５】
時刻ｔ１において、無線リンクの障害（RLF）又は上りリンク（UL）の問題が生じる。その際、Immediate MDT処理部１２６１は、測定結果及び位置情報を無線基地局に報告できない状態を検知する。
【００６６】
時刻ｔ２において、タイマが満了すると、ＭＤＴ制御部１２６４は、時刻ｔ０において得られた測定結果及び位置情報をＭＤＴデータ（ログ）として記録するよう制御する。また、ＭＤＴ制御部１２６４は、Logged MDT in connectedを開始するようLogged MDT処理部１２６２を制御する。Logged MDT処理部１２６２は、無線基地局ｅＮＢによって設定された測定構成、又は、予め設定されている測定構成に従ってLogged MDT in connectedを開始する。また、Logged MDT処理部１２６２は、タイマ満了時における、無線端末ＵＥ内部で管理する絶対時間を示す情報（すなわち時刻ｔ２を示す情報）を記録する。
【００６７】
時刻ｔ３において、無線端末ＵＥは、ＭＤＴをサポートしている無線基地局（セル）へのハンドオーバを行う。
【００６８】
時刻ｔ４において、Logged MDT処理部１２６２は、ＭＤＴをサポートしている無線基地局に対し、測定結果の報告を行う。ここで、Logged MDT処理部１２６２は、時刻ｔ０において測定を行った際の測定結果、位置情報、及び時刻情報を報告する。当該時刻情報は、測定を行った際の時刻ｔ０を示すタイムスタンプと、無線端末ＵＥ内部で管理する現在の絶対時間（Day, Hour, Min, Sec）を示す情報（すなわち時刻ｔ４に対応する時間情報）と、時刻ｔ４と時刻ｔ０との間の相対時間を示す情報とを含む。Logged MDT in connectedが無線基地局eNBによって設定された測定構成ではなかった場合、無線端末UE内部で管理している絶対時間は、十分信頼できるものではない。そこで、基地局は無線端末UEの報告時刻t４とネットワークの絶対時間との間のギャップを計算し、報告t０を信頼性のある情報に書き換える。このように、報告を受けた無線基地局は、報告時の絶対時間と相対時間とタイマ時間とから、測定時に対応する時間情報（Day, Hour, Min, Sec）を、ネットワークの絶対時間に則した形で算出することができる。
【００６９】
（１．４）無線測定収集方法
図５は、第１実施形態に係る無線測定収集方法を示すシーケンス図である。
【００７０】
図５に示すように、ステップＳ１１０１において、無線端末ＵＥは、コネクテッド状態であり、無線基地局ｅＮＢのセルをサービングサービングセルとしている。
【００７１】
ステップＳ１１０２において、無線基地局ｅＮＢは、測定構成を含むMEASUREMENT CONFIGURATIONメッセージを無線端末ＵＥに送信する。無線端末ＵＥは、MEASUREMENT CONFIGURATIONメッセージを受信する。ここで、測定構成は、測定すべき無線環境の種別を示すパラメータと、報告トリガの種別を示すパラメータとを含む。無線環境とは、例えば、参照信号受信電力（ＲＳＲＰ）及び参照信号受信品質（ＲＳＲＱ）、又は、パワーヘッドルーム（ＰＨ）である。また、ＲＳＲＰ及びＲＳＲＱを測定する場合、報告トリガの種別は、定期的、サービングセルのＲＳＲＰ及び／又はＲＳＲＱが閾値よりも低下したこと、又は、無線リンク障害である。
【００７２】
ステップＳ１１０３において、無線端末ＵＥは、受信したMEASUREMENT CONFIGURATIONメッセージに含まれる測定構成を設定し、Immediate MDTを開始する。
【００７３】
ステップＳ１１０４において、無線端末ＵＥは、測定すべき無線環境の種別を示すパラメータに従って、無線環境の測定を行う。なお、無線基地局ｅＮＢは、上りリンクの信号強度又は信号対干渉雑音比（ＳＩＮＲ）を測定してもよい。また、無線端末ＵＥは、測定を行った際の位置を示す位置情報を生成する。位置情報は、サービングセルのＥＣＧＩ（E-UTRAN Cell Global Identifier）を含む。また、無線端末ＵＥが測位機能を有している場合、位置情報は、ＧＮＳＳ（Global Navigation Satellite System）位置情報をさらに含む。一方、無線端末ＵＥが測位機能を有していない場合、位置情報は、隣接セルからの受信状態に関するＲＦ（Radio frequency）フィンガープリントをさらに含む。無線端末ＵＥは、測定結果及び位置情報を一時的に記憶する。さらに、無線端末ＵＥは、一定時間を計時するためのタイマを起動する。
【００７４】
ステップＳ１１０６において、無線端末ＵＥは、MEASUREMENT REPORTメッセージを無線基地局ｅＮＢに送信可能である場合（ステップＳ１１０５；ＹＥＳ）に、報告トリガの種別を示すパラメータに従って、位置情報が付された測定結果を含むMEASUREMENT REPORTメッセージを無線基地局ｅＮＢに送信する。このようにして測定結果の報告が完了すると、無線端末ＵＥは、測定結果及び位置情報を削除可能である。
【００７５】
なお、MEASUREMENT REPORTメッセージを無線基地局ｅＮＢに送信可能である場合とは、無線基地局ｅＮＢから上りリンクの無線リソースが割り当てられた場合であって、上りリンクの無線品質が所定レベル以上である場合を意味する。無線基地局ｅＮＢは、MEASUREMENT REPORTメッセージを受信する。また、無線基地局ｅＮＢは、MEASUREMENT REPORTメッセージに含まれる、位置情報が付された測定結果を記憶し、位置情報が付された測定結果を保守監視装置ＯＡＭに送信する。
【００７６】
ステップＳ１１０７において、無線端末ＵＥは、MEASUREMENT REPORTメッセージを無線基地局ｅＮＢに送信不能である場合（ステップＳ１１０５；ＮＯ）に、タイマが満了したか否かを確認する。無線端末ＵＥは、タイマが満了していない場合（ステップＳ１１０７；ＮＯ）に、処理をステップＳ１１０５に戻す。一方、無線端末ＵＥは、タイマが満了した場合（ステップＳ１１０７；ＹＥＳ）に、処理をステップＳ１１０８に進める。
【００７７】
ステップＳ１１０８において、無線端末ＵＥは、測定を行った際の時刻を示すタイムスタンプを取得する。具体的には、無線端末ＵＥは、現時刻から、タイマと対応する一定時間を引いた時刻（すなわち、測定を行った際の時刻）を測定時の時刻として、当該時刻を示すタイムスタンプを取得する。そして、無線端末ＵＥは、測定結果、位置情報、及びタイムスタンプの組をＭＤＴデータとして記録する。また、無線端末ＵＥは、Immediate MDTからLogged MDT in connectedに切り替える。具体的には、Logged MDT in connectedにおいて、無線端末ＵＥは、ステップＳ１１０２で受信したMEASUREMENT CONFIGURATIONメッセージに含まれる、測定すべき無線環境の種別を示すパラメータに従って、ＲＳＲＰ及びＲＳＲＱ、又は、ＰＨの測定を行う。また、無線端末ＵＥは、Logged MDT in connectedにおいて、測定を行った際の位置を示す位置情報と、測定を行った際の時刻を示すタイムスタンプとを生成し、測定結果、位置情報、及びタイムスタンプの組をＭＤＴデータとして記録する。なお、測定すべき無線環境は、予め無線端末ＵＥに設定されていた測定構成に従ってもよい。また、即座型報告の測定処理に対応する測定構成の場合以外は、event trigger base measurementやperiodic base measurement など全てのtrigger typeをサポートする事が可能である。
【００７８】
（１．５）第１実施形態の効果
以上説明したように、第１実施形態によれば、コネクテッド状態の無線端末ＵＥは、無線基地局ｅＮＢによって設定された測定構成に従って無線環境の測定を行うとともにタイマを起動する。無線端末ＵＥは、タイマの満了前に測定結果を報告可能になった場合には、測定結果を位置情報と共に無線基地局ｅＮＢに報告し、タイマの満了前に測定結果を報告可能にならない場合には、タイマが満了した際に測定結果を位置情報及びタイムスタンプと共に記録する。
【００７９】
これにより、無線端末ＵＥは、タイマが満了するまでは測定結果及び位置情報の報告を試みることができる。また、タイマが満了するまでに測定結果を報告できない場合には当該測定結果を位置情報及びタイムスタンプと共に記録するため、当該測定結果を位置情報及びタイムスタンプと共に後でネットワークに報告することができる。
【００８０】
また、上りリンク（UL）の混雑や、下りリンク（DL）は問題なく動作しているがULに問題があり長時間Immediate MDTが出来ない場合でも、複数の測定結果をUEに保存できるため、ネットワークは測定結果をもれなく取得することが可能である。
【００８１】
（２）第２実施形態
上述した第１実施形態では、無線端末ＵＥは、タイマの満了前に測定結果を報告可能にならない場合には、タイマが満了した際に測定結果を位置情報及びタイムスタンプと共に記録し、Immediate MDTからLogged MDT in connectedに切り替えていた。
【００８２】
第２実施形態では、無線端末ＵＥは、タイマの満了前に測定結果を報告可能にならない場合には、タイマが満了した際に測定結果を位置情報及びタイムスタンプと共に記録した後、報告が可能になった場合に当該測定結果を位置情報及び当該タイムスタンプと共に報告する。
【００８３】
図６は、第２実施形態に係る無線測定収集方法を示すシーケンス図である。ここでは、第１実施形態との相違点を主として説明する。
【００８４】
図６に示すように、ステップＳ１１０１において、無線端末ＵＥは、コネクテッド状態であり、無線基地局ｅＮＢのセルをサービングサービングセルとしている。
【００８５】
ステップＳ１１０２において、無線基地局ｅＮＢは、測定構成を含むMEASUREMENT CONFIGURATIONメッセージを無線端末ＵＥに送信する。無線端末ＵＥは、MEASUREMENT CONFIGURATIONメッセージを受信する。
【００８６】
ステップＳ１１０３において、無線端末ＵＥは、受信したMEASUREMENT CONFIGURATIONメッセージに含まれる測定構成を設定し、Immediate MDTを開始する。
【００８７】
ステップＳ１１０４において、無線端末ＵＥは、測定すべき無線環境の種別を示すパラメータに従って、無線環境の測定を行う。また、無線端末ＵＥは、測定を行った際の位置を示す位置情報を生成する。無線端末ＵＥは、測定結果及び位置情報を一時的に記憶する。さらに、無線端末ＵＥは、一定時間を計時するためのタイマを起動する。
【００８８】
ステップＳ１１０６において、無線端末ＵＥは、MEASUREMENT REPORTメッセージを無線基地局ｅＮＢに送信可能である場合（ステップＳ１１０５；ＹＥＳ）に、報告トリガの種別を示すパラメータに従って、位置情報が付された測定結果を含むMEASUREMENT REPORTメッセージを無線基地局ｅＮＢに送信する。このようにして測定結果の報告が完了すると、無線端末ＵＥは、測定結果及び位置情報を削除可能である。
【００８９】
ステップＳ１１０７において、無線端末ＵＥは、MEASUREMENT REPORTメッセージを無線基地局ｅＮＢに送信不能である場合（ステップＳ１１０５；ＮＯ）に、タイマが満了したか否かを確認する。無線端末ＵＥは、タイマが満了していない場合（ステップＳ１１０７；ＮＯ）に、処理をステップＳ１１０５に戻す。一方、無線端末ＵＥは、タイマが満了した場合（ステップＳ１１０７；ＹＥＳ）に、処理をステップＳ１１０８に進める。
【００９０】
ステップＳ１１０８において、無線端末ＵＥは、測定を行った際の時刻を示すタイムスタンプを取得する。そして、無線端末ＵＥは、測定結果、位置情報、及びタイムスタンプの組をＭＤＴデータとして記録する。
【００９１】
ステップＳ１２０１において、無線端末ＵＥは、MEASUREMENT REPORTメッセージを無線基地局ｅＮＢに送信可能であるか否かを確認する。なお、無線基地局ｅＮＢから上りリンクの無線リソースが割り当てられた場合であって、上りリンクの無線品質が所定レベル以上である場合には、MEASUREMENT REPORTメッセージを無線基地局ｅＮＢに送信可能である。
【００９２】
ステップＳ１２０２において、無線端末ＵＥは、MEASUREMENT REPORTメッセージを無線基地局ｅＮＢに送信可能である場合（ステップＳ１２０１；ＹＥＳ）に、ステップＳ１１０８で記録した測定結果、位置情報、及びタイムスタンプを含むMEASUREMENT REPORTメッセージを無線基地局ｅＮＢに送信する。このようにして報告が完了すると、無線端末ＵＥは、ステップＳ１１０８で記録したＭＤＴデータ（測定結果、位置情報、及びタイムスタンプ）を削除可能である。
【００９３】
以上説明したように、第２実施形態によれば、タイマの満了後に、MEASUREMENT REPORTメッセージを無線基地局ｅＮＢに送信可能である場合に、記録した測定結果、位置情報、及びタイムスタンプを含むMEASUREMENT REPORTメッセージを無線基地局ｅＮＢに送信する。これにより、第１実施形態と比較して、無線端末ＵＥが測定結果、位置情報、及びタイムスタンプを保持する負荷を軽減できる。
【００９４】
（３）第３実施形態
上述した第１実施形態では、無線端末ＵＥは、タイマの満了前に測定結果を報告可能にならない場合には、タイマが満了した際に測定結果を位置情報及びタイムスタンプと共に記録し、Immediate MDTからLogged MDT in connectedに切り替えていた。また、上述した第２実施形態では、無線端末ＵＥは、タイマの満了前に測定結果を報告可能にならない場合には、タイマが満了した際に測定結果を位置情報及びタイムスタンプと共に記録し、報告が可能になった場合に当該測定結果を位置情報及び当該タイムスタンプと共に報告していた。
【００９５】
第３実施形態では、無線端末ＵＥは、タイマの満了前に測定結果を報告可能にならない場合には、タイマが満了した際に測定結果及び位置情報を削除する。
【００９６】
図７は、第３実施形態に係る無線測定収集方法を示すシーケンス図である。ここでは、第１実施形態及び第２実施形態との相違点を主として説明する。
【００９７】
図７に示すように、ステップＳ１１０１において、無線端末ＵＥは、コネクテッド状態であり、無線基地局ｅＮＢのセルをサービングサービングセルとしている。
【００９８】
ステップＳ１１０２において、無線基地局ｅＮＢは、測定構成を含むMEASUREMENT CONFIGURATIONメッセージを無線端末ＵＥに送信する。無線端末ＵＥは、MEASUREMENT CONFIGURATIONメッセージを受信する。
【００９９】
ステップＳ１１０３において、無線端末ＵＥは、受信したMEASUREMENT CONFIGURATIONメッセージに含まれる測定構成を設定し、Immediate MDTを開始する。
【０１００】
ステップＳ１１０４において、無線端末ＵＥは、測定すべき無線環境の種別を示すパラメータに従って、無線環境の測定を行う。また、無線端末ＵＥは、測定を行った際の位置を示す位置情報を生成する。無線端末ＵＥは、測定結果及び位置情報を一時的に記憶する。さらに、無線端末ＵＥは、一定時間を計時するためのタイマを起動する。
【０１０１】
ステップＳ１１０６において、無線端末ＵＥは、MEASUREMENT REPORTメッセージを無線基地局ｅＮＢに送信可能である場合（ステップＳ１１０５；ＹＥＳ）に、報告トリガの種別を示すパラメータに従って、位置情報が付された測定結果を含むMEASUREMENT REPORTメッセージを無線基地局ｅＮＢに送信する。このようにして測定結果の報告が完了すると、無線端末ＵＥは、測定結果及び位置情報を削除可能である。
【０１０２】
ステップＳ１１０７において、無線端末ＵＥは、MEASUREMENT REPORTメッセージを無線基地局ｅＮＢに送信不能である場合（ステップＳ１１０５；ＮＯ）に、タイマが満了したか否かを確認する。無線端末ＵＥは、タイマが満了していない場合（ステップＳ１１０７；ＮＯ）に、処理をステップＳ１１０５に戻す。一方、無線端末ＵＥは、タイマが満了した場合（ステップＳ１１０７；ＹＥＳ）に、処理をステップＳ１３０１に進める。
【０１０３】
ステップＳ１３０１において、無線端末ＵＥは、ステップＳ１１０４で得られた測定結果及び位置情報を削除する。
【０１０４】
以上説明したように、第３実施形態によれば、タイマが満了した際に、測定結果及び位置情報を削除する。これにより、第１実施形態及び第２実施形態と比較して、無線端末ＵＥが測定結果、位置情報、及びタイムスタンプを保持する負荷を軽減できる。
【０１０５】
（４）第４実施形態
図面を参照して、本発明の第４実施形態について、（４．１）移動通信システムの概要、（４．２）無線基地局の構成、（４．３）無線端末の構成、（４．４）無線測定収集方法、（４．５）第４実施形態の効果、（４．６）第４実施形態の変更例の順に説明する。以下の第４実施形態における図面において、同一又は類似の部分には同一又は類似の符号を付す。
【０１０６】
以下においては、３ＧＰＰで仕様が策定されているＬＴＥ（Long Term Evolution）に基づいて構成される移動通信システムを主として説明する。ただし、ＬＴＥに限らず、Ｗ−ＣＤＭＡ（Wideband Code Division Multiple Access）に基づいて構成される移動通信システム等についても本発明を適用できることに留意されたい。
【０１０７】
（４．１）移動通信システムの概要
図８は、第４実施形態に係る移動通信システム１の全体概略構成を示す図である。
【０１０８】
図８に示すように、移動通信システム１は、無線端末ＵＥ（User Equipment）、複数の無線基地局ｅＮＢ（evolved Node-B）、保守監視装置ＯＡＭ（Operation and Maintenance）、複数の移動管理装置ＭＭＥ（Mobility Management Entity）／ゲートウェイ装置Ｓ−ＧＷ（Serving Gateway）、複数のホーム無線基地局ＨｅＮＢ（Home evolved Node-B）、ホーム無線基地局ゲートウェイＨｅＮＢ  ＧＷ（Home evolved Node-B Gateway）を有する。
【０１０９】
無線基地局ｅＮＢ、ホーム無線基地局ＨｅＮＢ、及びホーム無線基地局ゲートウェイＨｅＮＢ  ＧＷは、Ｅ−ＵＴＲＡＮ（Evolved-UMTS Terrestrial Radio Access  Network）を構成する。各無線基地局ｅＮＢ及び各ホーム無線基地局ＨｅＮＢは、無線端末ＵＥにサービスを提供すべき通信エリアであるセルを管理する。
【０１１０】
無線端末ＵＥは、ユーザが所持する無線通信装置であり、ユーザ装置とも称される。第４実施形態では、無線端末ＵＥは、Rel-10に準拠して構成される。
【０１１１】
隣接する各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ／Ｓ−ＧＷと通信可能である。また、各無線基地局ｅＮＢは、オペレータによって運営される保守監視装置ＯＡＭと通信可能である。
【０１１２】
各ホーム無線基地局ＨｅＮＢは、Ｓ１インターフェース及びホーム無線基地局ゲートウェイＨｅＮＢ  ＧＷを介して、ＥＰＣ、具体的には、ＭＭＥ／Ｓ−ＧＷと通信可能である。
【０１１３】
なお、無線端末ＵＥは、Ｅ−ＵＴＲＡＮ（あるいはＵＴＲＡＮ）とは異なる無線アクセス技術（ＲＡＴ）に準拠する無線基地局と通信可能に構成されてもよい。
【０１１４】
複数の無線基地局ｅＮＢのうち、Rel-10に準拠する無線基地局ｅＮＢの中には、ＭＤＴをサポートするものがある。一方、ホーム無線基地局ＨｅＮＢや、Ｅ−ＵＴＲＡＮ（あるいはＵＴＲＡＮ）とは異なるＲＡＴに準拠する無線基地局は、ＭＤＴをサポートしない。
【０１１５】
ここで、図９を用いて、無線端末ＵＥが、ＭＤＴをサポートする無線基地局ｅＮＢとImmediate MDTを実行中に、ＭＤＴをサポートしない無線基地局へのハンドオーバを行うケースについて説明する。
【０１１６】
図９に示すように、無線端末ＵＥは、ハンドオーバ前においては、Immediate MDTを行う。すなわち、無線環境を測定し、測定結果及び位置情報を無線基地局ｅＮＢに報告する。
【０１１７】
無線端末ＵＥが、ＭＤＴをサポートしない無線基地局へのハンドオーバを行うと、そのようなImmediate MDTが中止される。この場合、ＭＤＴをサポートする無線基地局ｅＮＢのセルエッジ周辺における測定レポートが十分に収集できなくなり、ＭＤＴをサポートする無線基地局ｅＮＢのカバレッジ等を最適化できない可能性がある。
【０１１８】
また、ＭＤＴをサポートしない無線基地局のセルでの測定が十分に行われないため、ＭＤＴをサポートしない無線基地局のカバレッジ等を最適化できない可能性がある。
【０１１９】
そこで、第４実施形態では、無線端末ＵＥは、ＭＤＴをサポートする無線基地局ｅＮＢからＭＤＴをサポートしない無線基地局へのハンドオーバに応じて、Immediate MDTからLogged MDTに切り替える。
【０１２０】
（４．２）無線基地局の構成
図１０は、無線基地局ｅＮＢの構成を示すブロック図である。ここでは、Rel-10に準拠する無線基地局ｅＮＢであって、ＭＤＴをサポートする無線基地局ｅＮＢを説明する。
【０１２１】
図１０に示すように、無線基地局ｅＮＢは、アンテナ２１０１、無線通信部２１１０、ネットワーク通信部２１２０、記憶部２１３０、及び制御部２１４０を有する。
【０１２２】
アンテナ２１０１は、無線信号の送受信に用いられる。無線通信部２１１０は、例えば無線周波数（ＲＦ）回路やベースバンド（ＢＢ）回路等を用いて構成され、アンテナ２１０１を介して無線信号を送受信する。また、無線通信部２１１０は、送信信号の変調と受信信号の復調とを行う。ネットワーク通信部２１２０は、他のネットワーク装置（保守監視装置ＯＡＭや他の無線基地局ｅＮＢ等）との通信を行う。記憶部２１３０は、例えばメモリを用いて構成され、無線基地局ｅＮＢの制御等に用いられる各種の情報を記憶する。制御部２１４０は、例えばＣＰＵを用いて構成され、無線基地局ｅＮＢが備える各種の機能を制御する。
【０１２３】
制御部２１４０は、測定設定部２１４１、収集処理部２１４２、及びハンドオーバ制御部２１４３を有する。
【０１２４】
測定設定部２１４１は、無線端末ＵＥに測定構成を設定する。具体的には、測定設定部２１４１は、測定構成を含むMEASUREMENT CONFIGURATIONメッセージを生成する。測定構成は、測定すべき無線環境の種別を示すパラメータと、報告トリガの種別を示すパラメータとを含む。測定すべき無線環境の種別は、例えば、参照信号受信電力（ＲＳＲＰ）及び参照信号受信品質（ＲＳＲＱ）、又は、パワーヘッドルーム（ＰＨ）である。報告トリガの種別は、例えば、定期的、サービングセルのＲＳＲＰ及び／又はＲＳＲＱが閾値よりも低下したこと、又は、無線リンク障害である。そして、測定設定部２１４１は、当該MEASUREMENT CONFIGURATIONメッセージを無線端末ＵＥに送信するよう無線通信部２１１０を制御する。
【０１２５】
収集処理部２１４２は、測定結果を収集する処理を行う。
【０１２６】
Immediate MDTにおいて、収集処理部２１４２は、無線端末ＵＥから受信したMEASUREMENT REPORTメッセージに含まれる測定結果及び位置情報を取得し、当該測定結果及び位置情報にタイムスタンプを付加する。そして、収集処理部２１４２は、測定結果、位置情報、タイムスタンプの組を保守監視装置ＯＡＭに送信するようネットワーク通信部２１２０を制御する。なお、収集処理部２１４２は、これの情報を保守監視装置ＯＡＭに送信するケースに限らず、当該情報の内容を解釈し、自局のパラメータの最適化に使用してもよい。また、Immediate MDTにおいて、収集処理部２１４２は、上りリンクの信号強度又は信号対干渉雑音比（ＳＩＮＲ）を測定してもよい。
【０１２７】
Logged MDTにおいて、収集処理部２１４２は、ログデータを保持していることを示すログ保持情報を含むRRCConnectionSetupCompleteメッセージを無線端末ＵＥから受信した場合であって、当該ログデータを収集すると決定した場合に、UEInformationRequestメッセージを生成し、生成したUEInformationRequestメッセージを無線端末ＵＥに送信するよう無線通信部２１１０を制御する。
【０１２８】
収集処理部２１４２は、UEInformationRequestメッセージに応じて無線端末ＵＥから送信（報告）されたUEInformationResponseメッセージを無線通信部２１１０が受信すると、受信したUEInformationResponseメッセージに含まれるログデータを取得する。そして、収集処理部２１４２は、当該ログデータを保守監視装置ＯＡＭに送信するようネットワーク通信部２１２０を制御する。なお、収集処理部２１４２は、ログデータを保守監視装置ＯＡＭに送信するケースに限らず、当該ログデータの内容を解釈し、自局のパラメータの最適化に使用してもよい。
【０１２９】
ハンドオーバ制御部２１４３は、ハンドオーバに関する各種の制御を行う。ハンドオーバ制御部２１４３は、ターゲット基地局へのハンドオーバを決定した場合に、HANDOVER REQUESTメッセージをターゲット基地局に送信するようネットワーク通信部２１２０を制御する。ハンドオーバ制御部２１４３は、ネットワーク通信部２１２０がHANDOVER REQUESTメッセージに対するHANDOVER REQUEST ACKメッセージを受信した場合に、モビリティ制御情報を含むRRC CONNECTION RECONFIGURATIONメッセージを無線端末ＵＥに送信するよう無線通信部２１１０を制御する。
【０１３０】
さらに、ハンドオーバ制御部２１４３は、無線端末ＵＥとImmediate MDTを実行中に、RRC CONNECTION RECONFIGURATIONメッセージを無線端末ＵＥに送信する場合に、ターゲット基地局がＭＤＴをサポートしているか否かを示す情報をRRC CONNECTION RECONFIGURATIONメッセージに含めて送信する。ＭＤＴをサポートしているか否かを示す情報とは、ＭＤＴをサポートしていれば“１”、ＭＤＴをサポートしていれば“０”といった１ビットの情報（フラグ）であってもよい。また、ＭＤＴをサポートしていればオプションビットをセットする仕様であってもよい。
【０１３１】
（４．３）無線端末の構成
図１１は、無線端末ＵＥの構成を示すブロック図である。
【０１３２】
図１１に示すように、無線端末ＵＥは、アンテナ２２２０１、無線通信部２１０２２１０、ユーザインターフェイス部２２２０、ＧＰＳ受信機２２３０、バッテリ２２４０、記憶部２２５０、及び制御部２２６０を有する。ただし、無線端末ＵＥは、ＧＰＳ受信機２２３０を有していなくてもよい。
【０１３３】
アンテナ２２２０１は、無線信号の送受信に用いられる。無線通信部２１０２２１０は、例えば無線周波数（ＲＦ）回路やベースバンド（ＢＢ）回路等を用いて構成され、アンテナ２２２０１を介して無線信号を送受信する。また、無線通信部２１０２２１０は、送信信号の変調と受信信号の復調とを行う。ユーザインターフェイス部２２２０は、ユーザとのインターフェイスとして機能するディスプレイやボタン等である。バッテリ２２４０は、無線端末ＵＥの各ブロックに供給される電力を蓄える。記憶部２２５０は、例えばメモリを用いて構成され、無線端末ＵＥの制御等に用いられる各種の情報を記憶する。制御部２２６０は、例えばＣＰＵを用いて構成され、無線端末ＵＥが備える各種の機能を制御する。
【０１３４】
制御部２２６０は、Immediate MDT処理部２２６１、Logged MDT処理部２２６２、及びＭＤＴ制御部２２６３を有する。Immediate MDT処理部２２６１は第１の測定処理部に相当し、Logged MDT処理部２２６２は第２の測定処理部に相当し、ＭＤＴ制御部２２６３は測定制御部に相当する。
【０１３５】
Immediate MDT処理部２２６１は、コネクテッド状態において無線基地局ｅＮＢとImmediate MDTを行う。具体的には、Immediate MDT処理部２２６１は、コネクテッド状態において、測定構成を含むMEASUREMENT CONFIGURATIONメッセージを無線通信部２１０２２１０が受信すると、受信したMEASUREMENT CONFIGURATIONメッセージに含まれる測定構成を設定（すなわち、記憶部２２５０に記憶）する。測定構成は、測定すべき無線環境の種別を示すパラメータと、報告トリガの種別を示すパラメータとを含む。
【０１３６】
また、Immediate MDT処理部２２６１は、測定すべき無線環境の種別を示すパラメータに従って、無線環境の測定を行うとともに、測定を行った際の位置に関する位置情報を生成する。位置情報は、サービングセルのＥＣＧＩ（E-UTRAN Cell Global Identifier）を含む。また、無線端末ＵＥが測位機能を有している場合、位置情報は、ＧＮＳＳ（Global Navigation Satellite System）位置情報をさらに含む。一方、無線端末ＵＥが測位機能を有していない場合、位置情報は、隣接セルからの受信状態に関するＲＦ（Radio frequency）フィンガープリントをさらに含む。
【０１３７】
そして、Immediate MDT処理部２２６１は、報告トリガの種別を示すパラメータに従って、位置情報が付された測定結果を含むMEASUREMENT REPORTメッセージをソース基地局ｅＮＢに送信するよう無線通信部２１０２２１０を制御する。
【０１３８】
Logged MDT処理部２２６２は、コネクテッド状態においてLogged MDT（以下、適宜Logged MDT in connectedと称する）を行う。Logged MDT処理部２２６２は、無線基地局ｅＮＢによって設定された測定構成に従って測定を行い、測定結果及び位置情報を記録する。具体的には、Logged MDT処理部２２６２は、MEASUREMENT CONFIGURATIONメッセージに含まれる、測定すべき無線環境の種別を示すパラメータに従って、ＲＳＲＰ及びＲＳＲＱ、又は、ＰＨの測定を行う。また、Logged MDT処理部２２６２は、測定を行った際の位置に関する位置情報と、測定を行った際の時刻に関するタイムスタンプとを生成する。そして、無線端末ＵＥは、測定結果、位置情報、及びタイムスタンプの組をログデータとして記録（記憶部２２５０に記憶）する。
【０１３９】
ＭＤＴ制御部２２６３は、Immediate MDT処理部２２６１及びLogged MDT処理部２２６２を制御する。ＭＤＴ制御部２２６３は、無線基地局ｅＮＢからターゲット基地局へのハンドオーバのトリガに応じて、Immediate MDTからLogged MDT in connectedに切り替える。具体的には、ＭＤＴ制御部２２６３は、無線基地局ｅＮＢからのRRC CONNECTION RECONFIGURATIONメッセージを無線通信部２１０２２１０が受信したこと、すなわち、無線基地局ｅＮＢからハンドオーバを指示されたことをハンドオーバのトリガとして、Immediate MDTからLogged MDT in connectedに切り替える。
【０１４０】
ＭＤＴ制御部２２６３は、RRC CONNECTION RECONFIGURATIONメッセージに含まれる、ターゲット基地局がMDTをサポートしているか否かを示す情報に基づき、ターゲット基地局がMDTをサポートしているか否かを判定する。例えば、ＭＤＴ制御部２２６３は、ターゲット基地局から報知されるシステム情報や、ソース基地局から通知されるターゲット基地局情報などから、ターゲット基地局がMDTをサポートしているか否かを判定する。ターゲット基地局がMDTをサポートしていると判定した場合、ＭＤＴ制御部２２６３は、Immediate MDTを継続する。一方、ターゲット基地局がＭＤＴをサポートしていないと判定した場合、無線端末ＵＥは、Immediate MDTからLogged MDT in connectedに切り替える。
【０１４１】
図１２は、Immediate MDTからLogged MDT in connectedへの切り替え時及び切り替え後の無線端末ＵＥの動作を説明するためのタイムチャートである。
【０１４２】
図１２に示すように、時刻ｔ１において、無線端末ＵＥは、ＭＤＴをサポートしていない無線基地局（セル）へのハンドオーバを行う。ここで、ＭＤＴ制御部２２６３は、Logged MDT in connectedを開始するまでの一定時間を計時するためのタイマを起動する。なお、当該タイマは、ＭＤＴをサポートしていない無線基地局（セル）へのハンドオーバを行った直後に、ハンドオーバ元の無線基地局（セル）等へ再度ハンドオーバを行う可能性を考慮したものである。
【０１４３】
時刻ｔ２において、Logged MDT in connectedを開始するまでの一定時間を計時するためのタイマが満了すると、ＭＤＴ制御部２２６３は、Logged MDT in connectedを開始するようLogged MDT処理部２２６２に指示する。Logged MDT処理部２２６２は、無線基地局ｅＮＢによって設定された測定構成、又は、予め設定されている測定構成に従ってLogged MDT in connectedを開始する。
【０１４４】
時刻ｔ３において、Logged MDT処理部２２６２は、測定トリガに対応するイベントの発生を検知すると、無線環境の測定を行う。また、Logged MDT処理部２２６２は、イベント発生時（すなわち測定時）の位置に関する位置情報を取得し、無線環境の測定結果と、位置情報とを記録する。さらに、Logged MDT処理部２２６２は、無線端末ＵＥ内部で管理する絶対時間を示す情報（すなわち時刻ｔ３を示す情報）を記録する。
【０１４５】
時刻ｔ４において、無線端末ＵＥは、ＭＤＴをサポートしていない無線基地局（セル）から、ＭＤＴをサポートしている無線基地局（セル）へのハンドオーバを行う。
【０１４６】
時刻ｔ５において、Logged MDT処理部２２６２は、ＭＤＴをサポートしている無線基地局に対し、測定結果の報告を行う。Logged MDT in connected で収集したログのレポート方法手順には、現在3GPPで規定されているImmediate MDTと同様に、無線端末ＵＥがMDTをサポートしている基地局に移った際、通常のRRM measurement reportと同じように送信する手法と、Logged MDT in idleと同様に、RRCconnectionsetupcomplete messageに1bitのログ保持情報を含めて、ネットワークの判断でログを吸い上げる方法の、両方などが考えられる。ここで、Logged MDT処理部２２６２は、時刻ｔ３において測定を行った際の測定結果、位置情報、及び時刻情報を報告する。時刻情報は、無線端末ＵＥ内部で管理する現在の絶対時間（Day, Hour, Min, Sec）を示す情報（すなわち時刻ｔ５に対応する時間情報）と、時刻ｔ５と時刻ｔ３との間の相対時間を示す情報とを含む。ここで、Logged MDT in connectedが無線基地局eNBによって設定された測定構成ではなかった場合、無線端末UE内部で管理している絶対時間は、十分信頼できるものではない。そこで、基地局は無線端末UEの報告時刻t5とネットワークの絶対時間よりギャップを計算し、報告t3を信頼性のある情報に書き換える。このように、報告を受けた無線基地局は、報告時の絶対時間と相対時間とから、測定時に対応する時間情報（Day, Hour, Min, Sec）を、ネットワークの絶対時間に則した形で算出することができる。
【０１４７】
（４．４）無線測定収集方法
図１３は、第４実施形態に係る無線測定収集方法を示すシーケンス図である。ここでは、ＭＤＴをサポートする無線基地局ｅＮＢから他の無線基地局へのハンドオーバを行うケースについて説明する。また、当該ＭＤＴをサポートする無線基地局ｅＮＢをソース基地局ｅＮＢと称し、当該他の無線基地局をターゲット基地局と称する。
【０１４８】
図１３に示すように、ステップＳ２１０１において、無線端末ＵＥは、コネクテッド状態であり、ソース基地局ｅＮＢのセルをサービングサービングセルとしている。
【０１４９】
ステップＳ２１０２において、ソース基地局ｅＮＢは、MEASUREMENT CONFIGURATIONメッセージを無線端末ＵＥに送信する。無線端末ＵＥは、MEASUREMENT CONFIGURATIONメッセージを受信する。
【０１５０】
ステップＳ２１０３において、無線端末ＵＥは、受信したMEASUREMENT CONFIGURATIONメッセージに含まれる測定構成を記憶し、Immediate MDTを開始する。測定構成は、測定すべき無線環境の種別を示すパラメータと、報告トリガの種別を示すパラメータとを含む。
【０１５１】
ステップＳ２１０４において、無線端末ＵＥは、測定すべき無線環境の種別を示すパラメータに従って、無線環境の測定を行う。無線環境とは、例えば、参照信号受信電力（ＲＳＲＰ）及び参照信号受信品質（ＲＳＲＱ）、又は、パワーヘッドルーム（ＰＨ）である。なお、ソース基地局ｅＮＢは、上りリンクの信号強度又は信号対干渉雑音比（ＳＩＮＲ）を測定してもよい。また、無線端末ＵＥは、測定を行った際の位置に関する位置情報を生成する。位置情報は、サービングセルのＥＣＧＩ（E-UTRAN Cell Global Identifier）を含む。また、無線端末ＵＥが測位機能を有している場合、位置情報は、ＧＮＳＳ（Global Navigation Satellite System）位置情報をさらに含む。一方、無線端末ＵＥが測位機能を有していない場合、位置情報は、隣接セルからの受信状態に関するＲＦ（Radio frequency）フィンガープリントをさらに含む。
【０１５２】
ステップＳ２１０５において、無線端末ＵＥは、報告トリガの種別を示すパラメータに従って、位置情報が付された測定結果を含むMEASUREMENT REPORTメッセージをソース基地局ｅＮＢに送信する。例えば、ＲＳＲＰ及びＲＳＲＱを測定する場合、報告トリガの種別は、定期的、サービングセルのＲＳＲＰ及び／又はＲＳＲＱが閾値よりも低下したこと、又は、無線リンク障害である。ソース基地局ｅＮＢは、MEASUREMENT REPORTメッセージを受信する。また、ソース基地局ｅＮＢは、MEASUREMENT REPORTメッセージに含まれる、位置情報が付された測定結果を記憶する。ソース基地局ｅＮＢは、位置情報が付された測定結果を保守監視装置ＯＡＭに送信する。
【０１５３】
ステップＳ２１０６において、ソース基地局ｅＮＢは、MEASUREMENT REPORTメッセージに含まれる測定結果に応じて、ターゲット基地局へのハンドオーバを決定する。
【０１５４】
ステップＳ２１０７において、ソース基地局ｅＮＢは、HANDOVER REQUESTメッセージをターゲット基地局に送信する。ターゲット基地局は、HANDOVER REQUESTメッセージに応じて、無線端末ＵＥの受け入れ可否を判定する。
【０１５５】
ステップＳ２１０８において、ターゲット基地局は、無線端末ＵＥの受け入れを許可すると判定した場合に、その旨のHANDOVER REQUEST ACKメッセージをソース基地局ｅＮＢに送信する。ソース基地局ｅＮＢは、HANDOVER REQUEST ACKメッセージを受信する。
【０１５６】
ステップＳ２１０９において、ソース基地局ｅＮＢは、モビリティ制御情報を含むRRC CONNECTION RECONFIGURATIONメッセージを無線端末ＵＥに送信する。無線端末ＵＥは、RRC CONNECTION RECONFIGURATIONメッセージを受信し、ソース基地局ｅＮＢによってターゲット基地局へのハンドオーバを指示される。第４実施形態では、本ステップにおいてソース基地局ｅＮＢは、ターゲット基地局がＭＤＴをサポートしているか否かを示す情報をRRC CONNECTION RECONFIGURATIONメッセージに含めて送信する。ＭＤＴをサポートしているか否かを示す情報とは、ＭＤＴをサポートしていれば“１”、ＭＤＴをサポートしていれば“０”といった１ビットの情報（フラグ）であってもよい。また、ＭＤＴをサポートしていればオプションビットをセットする仕様であってもよい。
【０１５７】
ステップＳ２１１０において、無線端末ＵＥは、RRC CONNECTION RECONFIGURATIONメッセージに含まれるターゲット基地局情報等に基づき、ターゲット基地局がＭＤＴをサポートしているか否かを判定する。
【０１５８】
ターゲット基地局がＭＤＴをサポートしていると判定した場合、ステップＳ１１１において、無線端末ＵＥは、Immediate MDTを継続する。Immediate MDTを継続する場合、無線端末ＵＥは、ハンドオーバ後においてMEASUREMENT CONFIGURATIONメッセージをターゲット基地局から受信する。
【０１５９】
一方、ターゲット基地局がＭＤＴをサポートしていないと判定した場合、ステップＳ２１１２において、無線端末ＵＥは、Immediate MDTからLogged MDT in connectedに切り替える。具体的には、Logged MDT in connectedにおいて、無線端末ＵＥは、ステップＳ２１０２で受信したMEASUREMENT CONFIGURATIONメッセージに含まれる、測定すべき無線環境の種別を示すパラメータに従って、ＲＳＲＰ及びＲＳＲＱ、又は、ＰＨの測定を行う。また、無線端末ＵＥは、測定を行った際の位置に関する位置情報と、測定を行った際の時刻に関するタイムスタンプとを生成する。そして、無線端末ＵＥは、測定結果、位置情報、及びタイムスタンプの組をログデータとして記録する。無線端末ＵＥは、そのようなログデータを定期的に記録してもよい。なお、無線端末ＵＥは、ターゲット基地局からさらに次のターゲット基地局にハンドオーバする際に、当該さらに次のターゲット基地局がＭＤＴをサポートしている場合に、記録しているログデータを当該さらに次のターゲット基地局に報告してもよい。
【０１６０】
なお、Logged MDT in connected で収集したログのレポート方法手順には、現在3GPPで規定されているImmediate MDTと同様に、無線端末ＵＥがMDTをサポートしている基地局に移った際、通常のRRM measurement reportと同じように送信する手法と、Logged MDT in idleと同様に、RRCconnectionsetupcomplete messageに1bitのログ保持情報を含めて、ネットワークの判断でログを吸い上げる方法の、両方などが考えられる。
【０１６１】
ステップＳ１１３において、無線端末ＵＥは、ターゲット基地局との接続処理を行う。具体的には、無線端末ＵＥは、ターゲット基地局との同期の確立や、各種のネゴシエーションを行う。当該接続処理が完了すると、ハンドオーバが完了する。
【０１６２】
（４．５）第４実施形態の効果
以上説明したように、第４実施形態によれば、無線端末ＵＥは、ＭＤＴをサポートしていないターゲット基地局へのハンドオーバのトリガに応じて、Immediate MDTからLogged MDT in connectedに切り替える。これにより、測定処理を継続できるため、ハンドオーバ中やハンドオーバ後における無線環境を測定でき、最適化に必要な測定結果及び位置情報を十分に収集できるようになる。
【０１６３】
また、第４実施形態では、無線端末ＵＥは、ターゲット基地局がＭＤＴをサポートしないと判定した場合に、Immediate MDTからLogged MDT in connectedに切り替える。これにより、ターゲット基地局がＭＤＴをサポートしないことを確認した上でLogged MDT in connectedに切り替えることができ、ターゲット基地局がＭＤＴをサポートする場合にはImmediate MDTを継続することができる。
【０１６４】
さらに、第４実施形態では、無線端末ＵＥがソース基地局ｅＮＢからハンドオーバを指示されたことをハンドオーバのトリガとしてImmediate MDTからLogged MDT in connectedに切り替える。これにより、無線端末ＵＥがソース基地局ｅＮＢからハンドオーバを指示されたことに応じてImmediate MDTからLogged MDT in connectedに切り替えることができるため、ハンドオーバ中やハンドオーバ後における無線環境をより確実に測定できる。
【０１６５】
第４実施形態では、無線端末ＵＥは、ターゲット基地局がＭＤＴをサポートしているか否かを示す情報をソース基地局ｅＮＢから受信し、当該受信した情報に基づいてImmediate MDTからLogged MDT in connectedに切り替える。これにより、ターゲット基地局がImmediate MDTをサポートしているか否かをより確実に判定することができる。
【０１６６】
（４．６）第４実施形態の変更例
上述した第４実施形態では、無線端末ＵＥは、ターゲット基地局がＭＤＴをサポートしているか否かを示す情報をソース基地局ｅＮＢから受信し、当該受信した情報に基づいてImmediate MDTからLogged MDT in connectedに切り替えていた。
【０１６７】
本変更例では、無線端末ＵＥは、ターゲット基地局が報知する情報を受信し、当該受信した情報に基づいてImmediate MDTからLogged MDT in connectedに切り替える。
【０１６８】
図１４は、本変更例に係る無線測定収集方法を示すシーケンス図である。ここでは、上述した第４実施形態との相違点を主として説明する。
【０１６９】
ステップＳ２２０１において、無線端末ＵＥは、ターゲット基地局が報知する情報（すなわち、報知情報）を受信する。なお、ターゲット基地局は、当該報知情報を周期的に報知している。当該報知情報は、マスタ情報ブロック（ＭＩＢ）及びシステム情報ブロック（ＳＩＢ）を含む。ＳＩＢは、ターゲット基地局が準拠するリリース（バージョン）の情報を含む。
【０１７０】
ステップＳ２１１０において、無線端末ＵＥは、ＳＩＢに含まれる情報に基づき、ターゲット基地局がＭＤＴをサポートしているか否かを判定する。具体的には、無線端末ＵＥは、ターゲット基地局が準拠するリリース（バージョン）の情報から、ターゲット基地局がＭＤＴをサポートしているか否かを判定する。この場合、ターゲット基地局がRel-10以降のリリース（バージョン）に準拠していれば、ターゲット基地局がImmediate MDTをサポートしているとみなす。
【０１７１】
その他の処理については、上述した第４実施形態と同様である。
【０１７２】
本変更例によれば、無線端末ＵＥは、ターゲット基地局が報知するＳＩＢに含まれる情報に基づいてターゲット基地局がＭＤＴをサポートしているか否かを判定する。これにより、ターゲット基地局がＭＤＴをサポートしているか否かを判定する精度は第１第４実施形態よりも低下するものの、ＳＩＢに含まれる既存の情報を利用することができ、既存システムに対する変更を最小限に留めることができる。
【０１７３】
（５）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【０１７４】
上述した第１実施形態〜第３実施形態では、無線端末ＵＥは、測定を行った際にタイマを起動していたが、タイマの起動タイミングは他のタイミングでもよい。例えば、無線端末ＵＥは、測定結果を無線基地局ｅＮＢに報告できないことを検知した際にタイマを起動してもよい。あるいは、無線端末ＵＥは、測定を行ったタイミングから、測定結果を無線基地局ｅＮＢに報告できない期間が一定時間継続したことを検知した際にタイマを起動してもよい。
【０１７５】
上述した第４実施形態では、無線端末ＵＥは、Immediate MDTからLogged MDT in connectedに切り替えた後、Immediate MDT向けの測定構成に従ってLogged MDT in connectedを行っていた。すなわち、図１３において、無線端末ＵＥは、ステップＳ２１１２でLogged MDT in connectedに切り替えた後、ステップＳ２１０３で設定した測定構成を用いてLogged MDT in connectedを行っていた。しかしながら、無線端末ＵＥは、Immediate MDTからLogged MDT in connectedに切り替えた後、予め設定された測定構成の規定に応じて自動的にImmediate MDT向けの測定構成を生成してもよい。
【０１７６】
あるいは、ソース基地局ｅＮＢは、ステップＳ２１０９でRRC CONNECTION RECONFIGURATIONメッセージを無線端末ＵＥに送信する際に、Logged MDT in connected向けの測定構成を送信してもよい。当該Logged MDT in connected向けの測定構成は、測定対象（measurements to be logged）、測定トリガ（triggering of logging event）、測定期間（total duration of logging）、タイムスタンプ（network absolute time stamp）、測定エリア（measurements area）、絶対時間（absolute time）を含んでもよい。
【０１７７】
この場合、無線端末ＵＥは、Logged MDT in connectedに切り替えた後、測定期間において、MEASUREMENT CONFIGURATIONメッセージに従って無線環境の測定を行うとともに、当該測定結果を含むログデータを保持する。具体的には、無線端末ＵＥは、Logged MDT in connected向けの測定構成の設定時に測定期間のタイマ（duration timer）を起動し、当該タイマが満了するとログデータの記録を終了する。
【０１７８】
そして、無線端末ＵＥは、MEASUREMENT REPORTメッセージの受信をサポートする無線基地局に接続した際に、ログデータを保持していることを示すログ保持情報（Availability Indicatorと称される）を当該無線基地局に送信する。具体的には、無線端末ＵＥは、接続の確立が完了したことを示すRRCConnectionSetupCompleteメッセージにログ保持情報を含めて送信する。当該無線基地局は、受信したログ保持情報に基づいて、ログデータの報告を要求する要求メッセージであるUEInformationRequestメッセージを無線端末ＵＥに送信する。無線端末ＵＥは、UEInformationRequestメッセージを受信すると、保持しているログデータを含むUEInformationResponseメッセージをネットワークに送信する。
【０１７９】
上述した第４実施形態では、無線端末ＵＥがソース基地局ｅＮＢからハンドオーバを指示されたことをハンドオーバのトリガとしてImmediate MDTからLogged MDT in connectedに切り替えていた。しかしながら、無線端末ＵＥからソース基地局ｅＮＢへMEASUREMENT REPORTメッセージを送信したことをハンドオーバのトリガとして、Immediate MDTからLogged MDT in connectedに切り替えてもよい。
【０１８０】
このように本発明は、ここでは記載していない様々な実施形態等を包含するということを理解すべきである。
【０１８１】
なお、米国仮出願第６１／３８５０７３号（２０１０年９月２１日出願）及び米国仮出願第６１／３８５０８５号（２０１０年９月２１日出願）の全内容が、参照により、本願明細書に組み込まれている。
【産業上の利用可能性】
【０１８２】
以上のように、本発明に係る無線測定収集方法及び無線端末によれば、即座報告型のＭＤＴにおいて測定結果を報告できないケースに適切に対処できると共に、最適化に必要な測定結果及び位置情報を十分に収集できるため、移動体通信などの無線通信において有用である。
【図１】
2012039439.tif 000003
【図２】
2012039439.tif 000004
【図３】
2012039439.tif 000005
【図４】
2012039439.tif 000006
【図５】
2012039439.tif 000007
【図６】
2012039439.tif 000008
【図７】
2012039439.tif 000009
【図８】
2012039439.tif 000010
【図９】
2012039439.tif 000011
【図１０】
2012039439.tif 000012
【図１１】
2012039439.tif 000013
【図１２】
2012039439.tif 000014
【図１３】
2012039439.tif 000015
【図１４】
2012039439.tif 000016
【国際調査報告】
2012039439.tif 000017
2012039439.tif 000018
2012039439.tif 000019
2012039439.tif 000020